【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
関連した計算装置の性能を向上させることのできるハイパーテキスト転送プロトコルを可能としたコンピュータ周辺機器であって、該ハイパーテキスト転送プロトコルを可能としたコンピュータ周辺機器は以下のことよりなる：
前記関連した計算装置と交信するインターフェイスモジュールであって、前記関連した計算装置は任意の形態からなり、
データモジュールは、少なくともデータ入力またはデータ出力のうちの１つを実行するよう適合されたハードウエアと、
前記インターフェイスモジュール及び前記データモジュールと通信するネットワークコミュニケーションプロトコルスタックモジュール、及び
前記ネットワークコミュニケーションプロトコルスタックモジュール内にあるハイパーテキスト転送プロトコルレイヤーモジュールであって、前記ハイパーテキスト転送プロトコルレイヤーモジュールが、コンピュータ周辺機器をして前記コンピュータ周辺機器に関連した第１のアドレスに対して作られたハイパーテキスト転送プロトコル要求に応答することを可能にさせ、
さらに前記コンピュータ周辺機器に関連した前記第１のアドレスは、前記関連した計算装置に対する参照を含む。
【請求項２】
請求項１に記載のハイパーテキスト転送プロトコルを可能としたコンピュータ周辺機器において、前記参照はネットワークアドレスである。
【請求項３】
請求項２に記載のハイパーテキスト転送プロトコルを可能としたコンピュータ周辺機器において、前記ネットワークアドレスはインターネットプロトコルアドレスである。
【請求項４】
請求項１に記載のハイパーテキスト転送プロトコルを可能としたコンピュータ周辺機器において、前記関連した計算装置は携帯型データ端末である。
【請求項５】
請求項１に記載のハイパーテキスト転送プロトコルを可能としたコンピュータ周辺機器において、前記ハイパーテキスト転送プロトコルを可能としたコンピュータ周辺機器は画像読取装置である。
【請求項６】
請求項１に記載のハイパーテキスト転送プロトコルを可能としたコンピュータ周辺機器において、前記ハイパーテキスト転送プロトコルを可能としたコンピュータ周辺機器はカード読取装置である。
【請求項７】
請求項１に記載のハイパーテキスト転送プロトコルを可能としたコンピュータ周辺機器において、前記ハイパーテキスト転送プロトコルを可能としたコンピュータ周辺機器はＲＦＩＤ読取装置である。
【請求項８】
請求項１に記載のハイパーテキスト転送プロトコルを可能としたコンピュータ周辺機器において、前記インターフェイスモジュールはコンパクトフラッシュ（登録商標）規格に準じて設計された部品を含む。
【請求項９】
請求項１に記載のハイパーテキスト転送プロトコルを可能としたコンピュータ周辺機器において、前記ハイパーテキスト転送プロトコルを可能としたコンピュータ周辺機器はデータ収集用に構成された周辺機器である。
【請求項１０】
請求項１に記載のハイパーテキスト転送プロトコルを可能としたコンピュータ周辺機器において、前記ハイパーテキスト転送プロトコルを可能としたコンピュータ周辺機器は前記コンピュータ周辺機器のメッセージ通知機能を送るため、動的に割り当てられたアドレスを含むメッセージの受け取りに応答するように構成された周辺機器である。
【請求項１１】
請求項１に記載のハイパーテキスト転送プロトコルを可能としたコンピュータ周辺機器において、前記ハイパーテキスト転送プロトコルを可能としたコンピュータ周辺機器は前記コンピュータ周辺機器の動作可能なパラメータを受け取るように構成された周辺機器であり、前記動作可能なパラメータは前記コンピュータ周辺機器にハイパーテキスト伝送プロトコールコマンドの一部として送られる。
【請求項１２】
請求項１に記載のハイパーテキスト転送プロトコルを可能としたコンピュータ周辺機器において、前記関連した計算装置は前記コンピュータ周辺機器からの要求の受け取りに応答するよう前記ハイパーテキストプロトコルポート番号を前記コンピュータ周辺機器に関連するように構成された計算装置である。
【請求項１３】
モジュールデータ収集システムであって、該システムは、
プロセッサ、メモリ、第１の電気機械コネクタを有し、筐体内に収容されるベース部と、
前記ベース部との通信を有するモジュールデータ収集周辺部とからなり、
前記モジュールデータ収集周辺部は前記ベース部に対して取り外し可能なように取り付けられ、前記モジュールデータ収集周辺部と前記ベース部は、前記モジュールデータ収集周辺部が前記ベース部に取り付けられた場合、前記モジュールデータ収集周辺部が前記ベース部に対して固定位置にあるように構成され、前記モジュールデータ収集周辺装置はさらにプロセッサとソフトウエアモジュールとを有し、前記ソフトウエアモジュールは、前記モジュールデータ収集装置がハイパーテキスト転送プロトコルに応答することを可能にする、
ことを特徴とするモジュールデータ収集システム。
【請求項１４】
請求項１３に記載のモジュールデータ収集システムにおいて、前記モジュールデータ収集周辺部は画像読取装置である、
ことを特徴とするモジュールデータ収集システム。
【請求項１５】
請求項１３に記載のモジュールデータ収集システムにおいて、前記モジュールデータ収集周辺部はカード読取装置である、
ことを特徴とするモジュールデータ収集システム。
【請求項１６】
請求項１３に記載のモジュールデータ収集システムにおいて、前記モジュールデータ収集周辺部はバーコードの読み取りを行うよう構成されている、
ことを特徴とするモジュールデータ収集システム。
【請求項１７】
請求項１３に記載のモジュールデータ収集システムにおいて、前記モジュールデータ収集周辺部はＲＦＩＤ読取装置である、
ことを特徴とするモジュールデータ収集システム。
【請求項１８】
請求項１３に記載のモジュールデータ収集システムであって、該モジュールデータ収集システムは、前記モジュールデータ収集周辺部を、前記ベース部に取り外し可能なように取り付けることを可能にする電気機械インターフェイスを含み、該電気機械インターフェイスは、前記ベース部に配置された第１のコネクタと、前記モジュールデータ収集装置に配置された第２のコネクタとを含む、
ことを特徴とするモジュールデータ収集システム。
【請求項１９】
請求項１３に記載のモジュールデータ収集システムであって、該モジュールデータ収集システムは、前記モジュールデータ収集周辺部を、前記ベース部に取り外し可能なように取り付けることを可能にする標準電気機械インターフェイスを含み、該標準電気機械インターフェイスは、前記ベース部に配置された第１のコネクタと、前記モジュールデータ収集装置に配置された第２のコネクタとを含む、
ことを特徴とするモジュールデータ収集システム。
【請求項２０】
請求項１３に記載のモジュールデータ収集システムであって、該モジュールデータ収集システムは、前記モジュールデータ収集周辺部を、前記ベース部に取り外し可能なように取り付けることを可能にするコンパクトフラッシュ（登録商標）電気機械インターフェイスを含み、該コンパクトフラッシュ（登録商標）電気機械インターフェイスは、前記ベース部に配置された第１のコネクタと、前記モジュールデータ収集装置に配置された第２のコネクタとを含む、
ことを特徴とするモジュールデータ収集システム。
【請求項２１】
請求項１３に記載のモジュールデータ収集システムであって、該モジュールデータ収集システムは、前記モジュールデータ収集周辺部を、前記ベース部に取り外し可能なように取り付けることを可能にするＰＣカード電気機械インターフェイスを含み、該ＰＣカード電気機械インターフェイスは、前記ベース部に配置された第１のコネクタと、前記モジュールデータ収集装置に配置された第２のコネクタとを含む、
ことを特徴とするモジュールデータ収集システム。
【請求項２２】
請求項１３に記載のモジュールデータ収集システムにおいて、前記モジュールデータ収集周辺部はデータ収集用に構成された周辺部である、
ことを特徴とするモジュールデータ収集システム。
【請求項２３】
請求項１３に記載のモジュールデータ収集システムにおいて、前記周辺部はネットワークアドレスとポート番号を割り当てられており、
前記ベース部はネットワークアドレスに対して前記ポート番号により特定された情報を送るよう構成されている、
ことを特徴とするモジュールデータ収集システム。
【請求項２４】
請求項１３に記載のモジュールデータ収集システムにおいて、前記ベース部は動的にネットワークアドレスを前記周辺部に割り当てるため、前記周辺部からの要求の受け取りに応答するように構成されている、
ことを特徴とするモジュールデータ収集システム。
【請求項２５】
請求項１３に記載のモジュールデータ収集システムにおいて、前記ベース部は動的に割り当てられたネットワークアドレスを受け取るように構成されている、
ことを特徴とするモジュールデータ収集システム